(57)【特許請求の範囲】
【請求項１】
ａ．第１電極、
ｂ．開口を備えた第２電極、
ｃ．第３電極、
ｄ．前記第３電極にあるオリフィス、
ｅ．前記第１電極と前記第３電極とに接続された交流電圧の電源、および
ｈ．前記第２電極に直流電圧を所定時間間隔で加える制御手段、
を備え、
前記第２電極は前記第１電極と前記第３電極との間に間挿され、前記第１電極と前記第２電極との間に第１空間を形成し、トナー供給手段から供給されたトナー粒子が前記第１空間で移動可能であり、前記第２電極と前記第３電極との間に前記トナー粒子が移動可能な第２空間を形成し、前記第１空間と前記第２空間を連通する前記開口が前記オリフィスの真上にはないことを特徴とするトナー投射装置。
【請求項２】
前記制御手段は、
ａ．直流電圧源、および、
ｂ．前記第２電極と前記直流電圧源との間に接続され、前記第２電極が前記直流電圧源に電気的に接続される第１の位置と前記第２電極が前記直流電圧源に電気的に接続されない第２の位置との間で動作するスイッチ、を備えていることを特徴とする請求項１に記載のトナー投射装置。
【請求項３】
前記制御手段が前記第２電極に接続されて動作するパルス発生器を備えていることを特徴とする請求項１に記載のトナー投射装置。
【請求項４】
前記直流電圧の大きさが前記交流電圧の大きさより大きいことを特徴とする請求項１に記載のトナー投射装置。
【請求項５】
前記直流電圧は、１／（前記第１、第３電極に加えられる前記交流電圧の周波数）より長い所定期間前記第２電極に加えられることを特徴とする請求項１に記載のトナー投射装置。
【請求項６】
ａ．第１電極、
ｂ．開口を備えた複数の第２電極、
ｃ．第３電極、
ｄ．前記第３電極にある複数のオリフィス、
ｅ．前記第１電極と前記第３電極とに接続された交流電圧の電源、および、
ｆ．前記第２電極に直流電圧を所定時間間隔で加える制御手段、
を備え
前記第２電極は前記第１電極と前記第３電極との間に間挿され、前記第１電極と前記第２電極との間に第１空間を形成し、トナー供給手段から供給されたトナー粒子が前記第１空間で移動可能であり、前記第２電極と前記第３電極との間に前記トナー粒子が移動可能な第２空間を形成し、前記第１空間と前記第２空間を連通する前記開口は前記オリフィスの真上にはないことを特徴とするトナー投射装置。
【請求項７】
前記制御手段は、
ａ．直流電圧源、および、
ｂ．それぞれが対応する前記第２電極の１つと前記直流電圧源との間に接続され、該対応する前記第２電極の１つが前記直流電圧源に電気的に接続される第１の位置と該対応する前記第２電極の１つが前記直流電圧源に電気的に接続されない第２の位置との間で動作する複数のスイッチ、を備えている請求項６に記載のトナー投射装置。
【請求項８】
前記第２電極のそれぞれに加えられる前記直流電圧の大きさが前記交流電圧の大きさより大きいことを特徴とする請求項６に記載のトナー投射装置。
【請求項９】
前記直流電圧は、１／（前記第１、第３電極に加えられる前記交流電圧の周波数）より長い所定期間前記第２電極のそれぞれに加えられることを特徴とする請求項６に記載のトナー投射装置。
【請求項１０】
第１、第３電極と、該第１、第３電極間に間挿され開口を備えた第２電極、
前記第３電極にあるオリフィス、
前記第１電極と前記第３電極とに接続された交流電圧の電源、および、
前記第２電極に直流電圧を所定時間間隔で加える制御手段、
を備え
前記第２電極の前記開口は前記オリフィスの真上にはなく、前記第１電極と前記第２電極とは第１空間を形成し、トナー供給手段から供給されたトナー粒子が前記第１空間で移動可能であり、前記第２電極と前記第３電極との間に前記トナー粒子が移動可能な第２空間を形成することを特徴とするトナー投射装置。
【発明の詳細な説明】
【０００１】
【発明の属する技術分野】
本発明は、導電性の、または半導電性の黒または着色トナーを直接印刷媒体上に投射するトナー投射装置に関する。
【０００２】
【従来の技術】
乾燥トナーを使用する通常のプリンタは、所要画像を紙または他の印刷媒体上に作って現像するのに通常電子写真式構成要素を採用している。電子写真術では、表面の所定区域を選択的に光に露出することにより光伝導材料の表面に潜像を作る。それにより光伝導材料の表面の露出区域と非露出区域との間に静電荷密度の差が生ずる。可視画像は、普通絶縁結合剤中に分散し、トナー分配システムにより光伝導体に移される顔料成分の入っている静電トナーにより現像される。光伝導体およびトナー粒子は、反対に帯電し、またはレベルの異なる同じ電荷を有し、トナー粒子は、光伝導体の表面の露出区域または非露出区域に静電的に引き付けられ、またはそこから追い払われる。紙のシートまたは中間伝達媒体は、次に、トナーのものとは反対の静電荷が与えられ、光伝導体の極く近くまで進められ、トナーを光伝導体から紙または中間媒体に光伝導体上に現像される画像のパターンを成して引き付ける。
【０００３】
乾燥トナーを印字ヘッドから直接紙に投射してその上に所要画像を形成することは乾燥トナープリンタの使用に際してかなりな長所である。この直接投射により、通常の電子写真式プリンタに使用されている光伝導体および関連する間接伝達機構の必要性が無くなる。通常の印刷機構でトナーの軌道を転換する働きができる逆静電界力により生ずる印刷品質の低下を減らすのに役立つ導電性または半導電性トナーを使用することも有利である。このような力は、乾燥トナー・カラープリンタで特に明らかである。導電性または半導電性トナーを使用すれば「不適性符号」のトナーにより生ずる諸問題を減らしまたは排除し、印刷プロセスを紙の厚さおよび抵抗レベルの変化にあまり敏感でないようにすることもできる。
【０００４】
【発明が解決しようとする課題】
したがって、乾燥トナーを直接紙または他の印刷媒体に投射し、それにより通常の電子写真式プリンタで使用されている光伝導体および関連する間接伝達機構の必要性を排除することが本発明の一つの目的である。
【０００５】
他の目的は、直接投射印刷装置で導電性または半導電性トナーを使用して通常の印刷機構でトナーの軌道を転換する働きができる逆静電界力により生ずる印刷品質の低下を減らし、「不適性符号」のトナーにより生ずる諸問題を排除し、印刷プロセスを紙の厚さおよび抵抗レベルの変化にあまり敏感でないようにするのに役立てることである。
【０００６】
本発明の他の目的は、印字ヘッド構造内にトナーの雲を発生し、トナー粒子を紙または他の印刷媒体上に選択的に投射する新しいトナー投射システムを提供することである。
【０００７】
【課題を解決するための手段】
これらのおよび他の目的および長所は、導電性または半導電性トナーを直接紙または他の画像受取り部材に投射する新規なシステムにより達成される。本発明の一実施例では、直接静電投射印刷装置は、基準電極、オリフィス板、および基準電極とオリフィス板との間に設置された投射制御電極を備えている。基準電極とオリフィス板との間に交番電界が発生し、基準電極とオリフィス板との間にトナー粒子の雲を形成する。基準電極とオリフィス板との間にはオリフィス板を通してトナー粒子を紙のシートまたは他の画像受取り部材に投射する電界も間欠的に発生する。一好適実施例では、第１の電界は、基準電極およびオリフィス板に交流電圧を加えることにより発生する交番電界である。第２の電界は、投射制御電極に所定時間間隔で直流電圧を間欠的に加えることにより発生し、オリフィス板を通してトナー粒子を選択的に投射する。システムを一連の投射制御電極およびオリフィス板にあるオリフィスを備えた全幅印刷配列として構成できる。投射制御電極に直流電圧を選択的に且つ間欠的に加え、オリフィス板を通して所定のパターンを成してトナーを投射するのに制御機構が使用されている。制御機構、たとえば、投射制御電極と直流投射電圧源との間に接続された一連のスイッチを備えることができる。代わりに、一つのパルス発生器または一連のパルス発生器を使用して、投射電極に加えられる直流電圧を制御できる。
【０００８】
上に要約したトナー投射システムを通常のプリンタ制御要素と組み合わせて直接投射プリンタを形成できる。本発明のこの実施例では、プリンタは、所要印刷画像を表すデータを印刷エンジンに供給するフォーマッタを備えている。印刷エンジンは、フォーマッタと結合して動作するが、画像を直接紙に投射する。紙供給機構が紙を印刷エンジンに供給し、紙出力機構が印刷ページを印刷エンジンから出力する。印刷エンジンは、上述の投射器、基準電極、オリフィス板、および基準電極とオリフィス板との間に間挿された投射制御電極を備えている。この場合も、基準電極とオリフィス板との間に交番電界が発生し、トナー粒子の雲を投射器内に形成する。投射制御電極とオリフィス板との間に電界が間欠的に発生し、トナー粒子をオリフィス板を通して紙のシートに投射し、フォーマッタにより供給されたデータに従って所要画像を印刷する。
【０００９】
【発明の実施の態様】
トナー投射システムまたは「投射器」を図１に示す。投射器10は、第１電極12、第２電極16、および第３電極20を備えている。第１、第２、および第３電極12、16、20を、基準電極12、投射制御電極16、およびオリフィス板または「印字ヘッド」20とも言う。投射制御電極16は、基準電極12とオリフィス板20との間に設置されている。投射制御電極16にある開口18は、図２および図３で最も良く見えるように、個別電極16の間の間隔、または電極板を貫く開口を表している。いずれの場合でも、開口18をオリフィス板20のオリフィス22の直上に設けるべきではない。随意選択的に、基準電極12に開口14を形成してトナーを基準電極12の上または下から投射器10に導入するようにしてよい。投射制御電極16は基準電極12から距離Ｄ1 離れて設置されている。オリフィス板20は投射制御電極16から距離Ｄ2 離れて設置されている。紙24または他の印刷媒体は、支持基板26の上に、全般的にオリフィス板20に平行に、且つそれから距離Ｄ3 離れて設置されている。通常の投射印刷装置では、Ｄ3 は約１mmであると推測されている。それでＤ2 は約0.2 乃至0.3mm である。Ｄ1 は、好ましくは、Ｄ2 より幾分大きい。
【００１０】
基準電極12およびオリフィス板20は、電圧Ｖ1 の源28に接続されている。電圧Ｖ1 は交流電圧または直流バイアスされた交流電圧でよい。動作中、電圧源28がオンにされ、電圧Ｖ1 を基準電極12およびオリフィス板20に加える。図１に示した実施例では、電圧Ｖ1 は交流電圧である。導電性トナー粒子が基準電極12およびオリフィス板20に触れると、トナー粒子はそれらの電極に加えられる電圧の極性に帯電する。帯電トナー粒子は交流電圧Ｖ1 の印加により第１電極12と第３電極20との間に発生する交番電界の影響を受けて電極間で振動する。したがって、基準電極12およびオリフィス板20の近辺に導入された導電性トナー粒子34は、これら電極間を制御電極16の開口18を通して交互に移動し、投射器10の内部にトナー粒子の雲36を形成する。直流投射電圧ＶPROJECTIONが投射制御電極16に所定時間間隔で間欠的に加えられる。図１に示す実施例では、電圧ＶPROJECTIONは投射制御電極16にスイッチ30を開閉することにより間欠的に加えられる。スイッチ30が閉じると、投射制御電極16が投射電圧ＶPROJECTIONの源38に接続される。スイッチ30が開くと、投射制御電極16は投射電圧ＶPROJECTIONの源38に接続されない。好適には、投射制御電極16は電圧Ｖ1 と投射電圧ＶPROJECTIONとの間で切り替えられる。投射制御電極16がＶ1 に接続されると、基準電極12およびオリフィス板20に関して上に説明したようにトナーの雲36を発生して維持するように働く。ＶPROJECTIONが投射制御電極16に加えられると、トナー粒子34がオリフィス22を通して紙24の上に投射される。図２に示す他の実施例では、直流電圧を投射制御電極16に間欠的に加えるのにパルス発生器または信号発生器39を使用している。図１に示すスイッチ30および電圧源38および図２に示すパルス発生器39は直流電圧を投射制御電極16に間欠的に加える機構として働く。これら各機構を電子的に制御しまたはプログラムして直流電圧を投射電極に所定時間間隔で加えて所要印刷パターンを達成することができる。他の適切な制御機構も使用可能である。
【００１１】
投射電圧ＶPROJECTIONの大きさは電圧Ｖ1 の大きさより大きい。通常の印刷用途では、ＶPROJECTIONとＶ1 との電圧差は約200 Ｖであろうと推定されている。投射電圧ＶPROJECTIONは交流電圧Ｖ1 の（１／周波数）より長い期間加えられる。Ｖ1 が交流電圧であるとき投射電圧ＶPROJECTIONをいずれの極性にもできる。たとえば、ＶPROJECTIONが図１に示すように正であるとき、投射制御電極16に接触しているトナー粒子は正に帯電する。このように帯電した正電荷を有して、投射制御電極16に接触しているトナー粒子は電極から反発され、オリフィス板20が負または投射電圧ＶPROJECTIONの極性とは反対である期間中存在する電界のため、オリフィス板20に引き付けられる。このようにして、オリフィス板20の上方のおよび隣接しているトナー粒子はオリフィス22を通して紙24の上に投射される。
【００１２】
トナー粒子上の電荷は、粒子の導電性のため、粒子が紙24に接触するにつれて消散し、それにより絶縁性トナーを使用するときはかなりな大きさである逆静電界力が減り、または無くなる。必要なら、電圧ＶPROJECTIONの極性と反対の極性を有する電圧Ｖ2 を支持基板26に加えて印刷媒体までのトナー投射軌道を補助することができる。その後、当業者に周知の通常の方法および装置によりトナーを紙に融着することができる。交流電圧（電圧Ｖ1 ）を印加することも、交流電圧により生ずる振動のため、印字ヘッド、オリフィス板20、の面を清浄にしておくのに役立つ。
【００１３】
その幾らかが投射電圧ＶPROJECTIONを印加するとオリフィス22を通して投射される、投射制御電極16からオリフィス板20の方に移動する、導電トナー粒子の速度は、方程式第１によって決まる。導電性トナー粒子は、この用語がこの明細書および特許請求の範囲に使用されるかぎり、導電性および半導電性の、好適には乾燥した、トナー粒子を含んでいる。トナー粒子の導電性の程度を、必要に応じて変え、下に更に詳細に説明するように、投射器10に対する所要動作パラメータを得ることができる。
【００１４】
方程式第１
ｖt＝√（２（Ｑ／ｍ）△Ｖ（１−ｅ-Tm/Tt））
ただし、
ｖt ＝トナー粒子の速度（メートル/秒）
△Ｖ＝ＶPROJECTION−Ｖ1（ボルト）
Ｑ  ＝トナーの電荷（クーロン）＝４πε0ｒ2ＥCRITICAL
ｍ  ＝トナー質量（グラム）＝（４/３）πｒ3ｄt
Ｔm ＝機械的接触時定数（秒）
Ｔt ＝トナー伝達時定数（秒）＝ｋtε0ρt
ρt ＝トナーの固有抵抗（オーム・ｃｍ）
ｋt ＝誘電定数
ε0 ＝自由空間の誘電率＝8.85×10-14ファラド/ｃｍ
ｒ  ＝トナー半径（ｃｍ）
ＥCRITICAL＝静電界＝30×103ボルト/ｃｍ
ｄt ＝トナー密度（グラム/ｃｍ3）
【００１５】
投射器10の最適化を、トナーの特性、電極に加えられる電圧の大きさおよび極性、および電極12、16、および20の間の距離Ｄ1 、Ｄ2 、およびオリフィス板20と紙24との間の距離Ｄ3 を変えることにより方程式第１に従って達成できる。たとえば、適切な単成分導電性乾燥トナー粒子は約5 ×10-4ｃｍの半径ｒ、および約１グラム／ｃｍ3 の密度ｄt を有している。好適には、このようなトナーは約104 オーム・ｃｍの固有抵抗を有するように作られる。第２電極16と第３電極20との間に加えられる200 ボルトの電圧差は、このようなトナー粒子をオリフィス22を通して約2.52ｍ／秒の速度で投射する。この速度は、約１ｍｍの距離Ｄ3 まで紙24の上にトナー粒子を投射するのに十分である。トナー粒子の導電率の好適な範囲は、その固有抵抗で測って、104 オーム・ｃｍから1010オーム・ｃｍである。
【００１６】
図３および図４は、直接投射静電プリンタに使用できるような投射制御電極16およびオリフィス板20の配列に対する二つの例示構成を示している。図３において、投射器10はオリフィス板20のオリフィス22a-22h の上方に設置された一連の個別投射制御電極16a-16h を備えている。各投射制御電極はスイッチ30a-30h を介して交互にＶ1 またはＶPROJECTIONに接続されている。所要画像は、上述のようにスイッチ30a-30h を介して、または他の適切な制御機構を介して投射制御電極16a-16h に加えられるＶPROJECTIONを制御することによりトナー粒子を個々のオリフィスを通して所定パターンでまたは順序で投射することにより得られる。図４に示す配列では、オリフィス板20は、３枚の平行板20a-20c から構成されている。オリフィス板20a-20c はスイッチ31a-31c を介してＶ1 に接続されている。各投射制御電極16a-16j は、３枚のオリフィス板を横断する一連のオリフィス22a 、22b 、および22c を覆っている。トナーは電圧Ｖ1 を正しいオリフィス板に、およびＶPROJECTIONを上層の投射制御電極に同時に加えることにより個別オリフィスを通して投射される。たとえば、トナーは、図４の切り替え構成に示すように、Ｖ1 をオリフィス板20a に加え、同時にＶPROJECTIONを投射制御電極16a および16d に加えることによりオリフィス板20a のオリフィス22a および22d を通して投射される。したがって、この構成では、スイッチ31a-31c を介してオリフィス板20a-20c に加えられるＶ1 、およびスイッチ30a-30j を介して投射制御電極16a-16j に加えられるＶPROJECTIONを同時に制御することにより所要画像が紙の上に投射される。
【００１７】
投射器10を通常のプリンタ制御要素と組み合わせて紙のページまたは他の印刷媒体に印刷する画像形成装置を形成することができる。このような画像形成装置をラインカラープリンタ44として図５に概略図解してある。図５を参照すると、複数のカラートナー投射器10が支持基板26の上に互いに長手方向に隣接して設置されている。代わりに、単一投射器10を単色プリンタに組み込むことができる。フォーマッタ機構48が投射器10に動作可能に接続されている。フォーマッタ48は投射器10に、紙のページ24に印刷しようとする所要画像を表すータを供給する。本発明のこの実施例では、投射器10は、図３に示すもののような紙24を横断して広がる独立に制御される投射制御電極の配列を備えている。投射電圧は、フォーマッタ48により供給されるデータに従い投射制御電極に選択的に加えられるので、トナー粒子は紙24の所要位置に投射される。
【００１８】
紙24のページは投射器10の下を移送ベルトまたは他の適切な支持基板26により移動する。黒（Ｋ）、マゼンタ（Ｍ）、黄色（Ｙ）、およびシアン（Ｃ）の各カラー平面による部分カラー画像が投射器10により紙の表面に連続して順に投射される。その後、紙24は一組の融着ローラ56の間を通過し、トナー画像を紙の上に永久的に固定する。フォーマッタ48、支持基板26、および融着ローラ56は、一般に、それぞれ、所要画像を様式化し、紙を印刷エンジン（投射器10）に供給し、トナー画像を紙に固定することを目的としている。
【００１９】
以下に本発明の実施の形態を要約する。
１．  ａ．第１電極（12）、ｂ．第２電極（16）、ｃ．第３電極（20）、ｄ．第３電極（20）にあるオリフィス（22）、ｅ．第１電極（12）と第３電極（20）との間に間挿されている第２電極（16）、ｆ．第１電極（12）と第３電極（20）との間に接続されて動作する交流電圧源（28）、および、ｇ．第２電極（16）に直流電圧を間欠的に加える制御手段、を備えていることを特徴とするトナー投射装置（10）。
【００２０】
２．  制御手段は、ａ．直流電圧源（38）、および、ｂ．第２電極（16）と直流電圧源（38）との間に接続され、第２電極（16）が直流電圧源（38）に電気的に接続される第１の位置と第２電極（16）が直流電圧源（38）に電気的に接続されない第２の位置との間で動作するスイッチ（30）、を備えている上記１に記載のトナー投射装置（10）。
【００２１】
３．  制御手段は、第２電極（16）に接続されて動作するパルス発生器を備えている上記１に記載のトナー投射装置（10）。
【００２２】
４．  ａ．第１電極（12）、ｂ．複数の第２電極（16）、ｃ．第３電極（20）、ｄ．第３電極（20）にある複数のオリフィス（22）、ｅ．第１電極（12）と第３電極（20）との間に間挿されている複数の第２電極（16）、ｆ．第１電極（12）と第３電極（20）との間に接続されて動作する交流電圧源（28）、および、ｇ．第２電極（16）に直流電圧を間欠的に加える制御手段、を備えているトナー投射装置（10）。
【００２３】
５．  制御手段は、ａ．直流電圧源（38）、および、ｂ．第２電極（16）と直流電圧源（38）との間に接続され、各々が、第２電極（16）が直流電圧源（38）に電気的に接続される第１の位置と第２電極（16）が直流電圧源（38）に電気的に接続されない第２の位置との間で動作する複数のスイッチ（30）、を備えている上記４に記載のトナー投射装置（10）。
【００２４】
６．  ａ．所要印刷画像を表すデータを供給するフォーマッタ（48）、ｂ．フォーマッタ（48）に結合して動作し、画像を直接印刷媒体のシートに投射する印刷エンジン（10）、ｃ．印刷エンジンに結合して動作し、印刷媒体のページを印刷エンジンに供給する印刷媒体供給機構（26）、を備え、ｄ．印刷エンジンは、（ｉ）第１電極（12）、（ii）複数の第２電極（16）、（iii）第３電極（20）、（iv）第３電極（20）にある複数のオリフィス（22）、（v）第１電極（12）と第３電極（20）との間に間挿されている第２電極（16）、（vi）第１電極（12）と第３電極（20）との間に接続されて動作する交流電圧源（28）、および（vii）第２電極（16）に直流電圧を間欠的に加える制御手段、を備えている画像形成装置。
【００２５】
７．  互いに離れて全般的に互いに平行に設置されている第１、第２、および第３の電極（12、16、20）を有し、第２電極（16）は第１電極（12）と第３電極（20）との間に間挿され、第３電極（20）は少なくとも一つのオリフィス（22）を有している投射器によりトナーを投射する方法であって、ａ．第１電極（12）と第３電極（20）との間に第１の電界を発生させ、それらの間にトナー粒子の雲（36）を形成するステップ、および、ｂ．第２電極（16）と第３電極（20）との間に第２の電界を間欠的に発生させ、第３電極（20）にあるオリフィス（22）を通してトナー粒子を投射するステップ、から成る方法。
【００２６】
８．  第１の電界は交番電界である上記７に記載の方法。
【００２７】
９．  更に、第１電極（12）および第３電極（20）に交流電圧を加え、第１の電界を発生するステップを備えている上記７に記載の方法。
【００２８】
１０．  更に、第２電極（16）に直流電圧を加えて第２の電界を発生するステップを備えている上記７に記載の方法。
【００２９】
【発明の効果】
導電性または半導電性トナーを直接印刷媒体上に投射する新規なシステムを図示し説明してきた。本発明の投射システムを使用する導電性または半導電性トナーの直接投射は、通常の印刷機構でトナーの軌道を転換逆静電界力−−乾燥トナーカラープリンタで特に明らかである力−−により生ずる印刷品質の低下を減らすのに役立つ。本発明のシステムは、通常のプリンタに使用されているトナー現像および光伝導性ドラムを省略する配慮をしており、したがって、プリンタのコストが下がるはずである。本発明の装置および方法はまた、「不適正符号」のトナーにより生ずる諸問題を排除し、印刷プロセスが紙の固有抵抗のレベルの変動にあまり敏感でないようにする。当業者は付記した特許請求範囲に示した本発明の精神および範囲を逸脱することなく、本発明の上述の実施例に種々の修正を行うことができる。
【図面の簡単な説明】
【図１】投射制御電極に加える投射電圧を制御するのにスイッチを使用するトナー投射システムの基本構成要素の断面図である。
【図２】投射制御電極に加える投射電圧を制御するのにパルス発生器を使用するトナー投射システムの基本構成要素の断面図である。
【図３】オリフィスおよび投射制御電極の配列の例示構成の一つの俯瞰平面図である。
【図４】オリフィスおよび投射制御電極の配列の第２の例示構成の俯瞰平面図である。
【図５】直接静電投射プリンタの図式表現である。
【符号の説明】
10  トナー投射装置
12  第１電極
16  第２電極
20  第３電極
22  オリフィス
26  支持基板（印刷媒体供給機構）
28  交流電圧源
30  スイッチ
38  直流電圧源
39  パルス発生器
48  フォーマッタ
【図１】
0004036947.tif 000002
【図２】
0004036947.tif 000003
【図３】
0004036947.tif 000004
【図４】
0004036947.tif 000005
【図５】
0004036947.tif 000006